【事件の表示】
　特願２００１−３１２５２２「使い捨て下着」拒絶査定不服審判事件〔平成１４年　７月　２日出願公開、特開２００２−１８６６４４〕について、次のとおり審決する。
【結　論】
　本件審判の請求は、成り立たない。
【理　由】
１．手続の経緯及び本願発明
　本願は、平成３年７月２９日（パリ条約による優先権主張１９９０年８月２４日、米国）に出願した特願平３−５１３３８６号の一部を平成１３年１０月１０日に新たな特許出願としたものであって、その請求項１乃至７に係る発明は、平成１５年３月２０日付で補正された明細書の特許請求の範囲の請求項１乃至７に記載された事項により特定されるとおりのものであるところ請求項１の記載は以下の通りである（以下、これにより特定される発明を「本願発明１」という。）。
「胴開口部及び二つの脚開口部を形成するように固定された前部分及び後部分を有するシャシーであって、不織材料にて形成されると共に疎水性及び防水性を備えたシャシーと、
　液体透過性上シート、液体不透過性後シート、及び前記上シートと前記後シートとの間に配置された吸収体コアを有する吸収体部材と、
　前記シャシーに設けられた弾性胴バンドであって、前胴バンド及び後胴バンドを含む弾性胴バンドと、備え、
　前記吸収体部材は、前記吸収体部材の長さ方向縁部の少なくとも一部に形成された漏洩に対する障壁をさらに有し、
　前記吸収体部材の長さ方向の長さは、前記前胴バンドと前記後胴バンドとの間の距離よりも短く、
　前記吸収体部材は、前記シャシーとは別個の部材として形成された後に前記シャシーの内面の一部のみを覆い且つ前記弾性胴バンドを覆わないようにして前記シャシーの内面に隣接して位置決めされ、前記シャシーに固定されていることを特徴とする使い捨て下着。」
　
２．引用文献
　原査定の拒絶の理由に引用された特開昭６０−１９４９４７号公報（以下、「引用文献１」という。）には、「使い捨て失禁処理物品」に係る発明に関して、以下の事項が図面とともに記載されている。
（イ）「本発明の物品１は、第１図、第２図、第５図に示すようにパンツ部材２とその股下区域の内面に組み付けたパッド部材３とからなる。」（第２頁左上欄第１３〜１５行）
（ロ）「パンツ部材２は、第１図に示すように予め完全なパンツ型に形成したもの、すなわち、ウエスト回り両側を予め分離不能に、好ましくは超音波溶着により接合したものと、第２図に示すようにウエスト回りの両側を分離し、一方のウエスト回りの両側に公知の連結部材４，たとえば…（中略）…等を設け、これを着用時に他方のウエスト回りの両側に固定してパンツ型に組み立てるものとを含む。」（第２頁左上欄第１５行〜同頁右上欄第５行）
（ハ）「パンツ部材２は、第３図、第４図に示すようにポリウレタンなどの軟質発泡シート５の外面もしくは内面または両面に、親水性または／および疎水性繊維の好ましくはノーバインダー不織布６を重ね合わせ、両者を好ましくは超音波溶着により部分的に接合した複合シ−ト７からなり」（第２頁右上欄第６〜１１行）
（ニ）「複合シート７は、…（中略）…必要に応じて、体液の防漏性を高めるため、シリコン系などの公知撥水剤で処理される。この処理は、少なくとも不織布６に対してなされればよく、また不織布６が撥水性繊維からなる場合にはなされなくともよい。発泡シート５は、その通気性を高めるため、その気泡とは別に多数の孔を設けることが好ましく」（第２頁右上欄第１２行〜同頁左下欄第１行）
（ホ）「パンツ部材２の股下区域両側または／およびウエスト回りには、第１図、第２図に示すように必要に応じて伸縮弾性帯域９、１０を設けることがあり、」（第２頁左下欄第６〜９行）
（ヘ）「パッド部材３は、第５図に示すようにプラスチックフィルムなどの不透液性シート１１上に粉砕パルプなどの吸液性コア１２を積層し、これを不織布などの透液性シート１３で被覆してなる。」（第２頁左下欄第１３〜１６行）
（ト）「パッド部材３のパンツ部材２に対する接合は、接着剤、超音波溶着、両面粘着テープなどの手段で取扱や使用中に容易に移動不能になされる。」（第２頁左下欄第１６〜１９行）
（チ）「本発明によれば、パンツ部材２の基材である複合シート７が軟質発泡シート５と不織布６との部分的接合からなり、伸縮柔軟性、通気性、肌触りなど公知のおむつに比較して著しく優れるから、所期の目的を達成することができるとともに着用時の運動などによっても破損することがなく、布製パンツとほぼ同等の機能を有する。」（第２頁左下欄第２０行〜同頁右下欄第６行）
（リ）「パッド部材３は、パンツ部材２の股下区域内面に固定的に組み付けられるとともに、パンツ部材２の身体に対する適合密着機能により、着用者の股下区域に常に固定的に当接されることになるから、パッド部材３に排泄された体液が漏れることがない。」（第２頁右下欄第６〜１２行）
（ヌ）第１図には、ウエスト（胴）開口部及び二つの脚開口部を形成するようにウエスト回りの両側で固定した前後の部分を有するパンツ部材２のウエスト回りの前後に亘って伸縮弾性帯域１０が設けられ、上記前後の伸縮弾性帯域１０のパンツ部材２の前後方向におけ間隔より短い長さのパッド部材３が上記前後の伸縮弾性帯域１０を覆わないように、パンツ部材２の内面に配置されている態様が示されている。
　上記の記載から、引用文献１には、「胴開口部及び二つの脚開口部を形成するように固定された前部分及び後部分を有し、軟質発泡シート５と不織布６との部分的接合からなる複合シート７にて形成されるとともに、体液の防漏性を高めるために公知撥水剤で処理されたパンツ部材２と、透液性シート１３、不透液性シート１１、及び前記透液性シート１３と不透液性シート１１との間に配置された吸液性コア１２を有するパッド部材３と、前記パンツ部材２のウエスト回りの前後に亘って設けられた伸縮弾性帯域１０と、を備え、前記パッド部材３の長さ方向の長さは、上記前後のウエスト回りの伸縮弾性帯域１０の間の長さよりも短く、前記パッド部材は、前記伸縮弾性帯域１０を覆わないようにして前記パンツ部材２の内面に取り付けられた使い捨て失禁処理物品」（以下、これを「引用発明１」という。）が記載されている。
同じく原査定の拒絶の理由に引用された実願昭６２−４０４７４号（実開昭６３−１４８３２３号）のマイクロフィルム（以下、「引用文献２」という。）には、「吸収性物品」に関して以下の事項が図面とともに記載されている。
（ル）「透水性上面シートと、不透水性下面シートと、該両シートの間に介在させた半剛性吸収体と、該吸収体の対向側へりから外側へ延出するとともに側へりに弾性部材を取り付けた可撓性側面フラップとを含み、前記側面フラップを前記上面シートの上面へ折り返すとともにその折り返し部の縦方向端を接合してある吸収性物品において、股下区域における前記吸収体の対向側部に折曲案内線を設けるとともに対向する該案内線の間の部分を該吸収体中最も厚層に形成してあることを特徴とする前記物品」（実用新案登録請求の範囲（１））
（ヲ）「本考案品が着用者の股間に挟持される際、大腿の付根によって股下区域における側面フラップが外側へ押し広げられる。側面フラップはその縦対向端を接合して固定してあるので、該側面フラップの自由端に位置する弾性部材の弾性力が内側へ向けられ、該側面フラップにその折り返し線を基端として起き上がる。その結果、側面フラップの非固定部が排泄物を受止するポケットの開口へりを拡開させる。」（第５頁第１２〜２０行）
（ワ）「吸収性物品Ａは、透水性上面シート１と、不透水性下面シート２と、半剛性吸収体３と、該吸収体の対向側へりから外側へ延出するとともに側へりに弾性部材４を取り付けた可撓性側面フラップ５とを含む。」（第６頁第４〜８行）
（カ）「上面シート１と下面シート２は、吸収体３の外周へりから延出している。縦対向端からの延出する上下面シート部分１ａ，２ａは互いに接合してある。」（第６頁第９〜１１行）
（ヨ）「第５図に示すように、物品Ａが失禁パッドである場合には、パンツ部材Ｂの前後側に連結した保持帯Ｃに、物品の下面に装着した止着シート１１（第２図、第３図参照）、たとえば、摩擦係数の高いウレタンフォームや、粘着剤シートを介し載置して用いる。」（第８頁第２〜７行）　
（タ）「着用時に股下区域に形成されるポケットに排泄物が受止されるから漏れを防止することができることはもちろんのこと、」（第８頁第９〜１２行）
　上記の記載から、引用文献２には、パンツ部材の内面に止着して用いる、透水性上面シートと、不透水性下面シートと、該両シートの間に介在させた吸収体とを有する吸収性物品が、その対向側へりすなわち長さ方向縁部に、排泄物を受止して漏れを防止するポケットを形成する側面フラップを有することが記載されている。
　
３．対比・判断
　本願発明１と上記引用発明１とを対比する。
　引用発明１の「使い捨て失禁処理物品」、「パンツ部材２」、「パッド部材３」、「透液性シート１３」、「不透液性シート１１」及び「吸収性コア１２」は、それぞれ、本願発明１の「使い捨て下着」、「シャーシー」、「吸収体部材」、「液体透過性上シート」、「液体不透過性下シート」及び「吸収体コア」に相当し、引用発明１において、パンツ部材２のウエスト回りの前後に亘って設けられた「伸縮弾性帯域１０」は、本願発明１の、シャーシーに設けられた前胴バンド及び後胴バンドを含む「弾性胴バンド」に相当し、その前後の部分が、それぞれ、本願発明１の「前胴バンド」及び「後胴バンド」に相当する。
　そして、引用発明１のパンツ部材２を形成する「軟質発泡シートと不織布との部分的接合からなる複合シート」は「不織材料」であって、引用文献の上記摘示記載（チ）に示されるように、本願発明１のシャーシーを不織材料で形成することによって具備しようとする本願明細書の段落番号【００２７】に記載された機能を具備しており、本願発明１の「不織材料」が積層物を排除する合理的理由もないので、引用発明１のパンツ部材２も不織材料で形成されているということができ、上記パンツ部材は、体液の防漏性を高めるために公知撥水剤で処理されているので、これを構成する複合シートは、当然疎水性及び防水性を具備するものということができる。
　してみれば、両者は、「胴開口部及び二つの脚開口部を形成するように固定された前部分及び後部分を有するシャシーであって、不織材料にて形成されると共に疎水性及び防水性を備えたシャシーと、液体透過性上シート、液体不透過性後シート、及び前記上シートと前記後シートとの間に配置された吸収体コアを有する吸収体部材と、前記シャシーに設けられた弾性胴バンドであって、前胴バンド及び後胴バンドを含む弾性胴バンドと、備え、前記吸収体部材の長さ方向の長さは、前記前胴バンドと前記後胴バンドとの間の距離よりも短く、前記吸収体部材は、前記シャシーとは別個の部材として形成された後に前記シャシーの内面の一部のみを覆い且つ前記弾性胴バンドを覆わないようにして前記シャシーの内面に隣接して位置決めされ、前記シャシーに固定されていることを特徴とする使い捨て下着。」である点で一致しており、本願発明１において、吸収体部材は、吸収体部材の長さ方向縁部の少なくとも一部に形成された漏洩に対する障壁を有する」のに対し、引用発明１においてパッド部材がそのような障壁を有することについては引用文献に記載されていない点で相違がある。
　そこで、上記の相違点について検討する。
　上記刊行物２には、本願発明１及び引用発明１と同様の、パンツ部材の内面に止着して用いる透水性上面シートと、不透水性下面シートと、該両シートの間に介在させた吸収体とを有する吸収性部材の、長さ方向縁部に、排泄物を受止して漏れを防止するポケットを形成する側面フラップを形成し、長さ方向において吸収体の外周へりを越えて延出する上下のシートの接合部を設けることが記載されており、上記刊行物２に記載された側面フラップは、排泄物の漏れを防止するためのものであり、本願発明１でいう「吸収体部材の長さ方向縁部の少なくとも一部に形成された漏洩に対する障壁」に相当する。
　そして、一般におむつや失禁処理物品等に使用する体液の吸収部材において、吸収された体液が、吸収体の周囲から漏れる、いわゆる横漏れや縦漏れを防止することは、吸収体本来の有する課題であり、パンツ型の部材の内面に支持して使用する吸収部材においても、何らかの防漏対策がなされるべきであることは当業者にとって自明の事項であるので、上記刊行物２に記載されたような吸収体部材の長さ方向縁部に形成された漏洩に対する障壁を引用発明１に適用することは当業者が容易に想到しうる事項であり、これを阻害する格別の事情もない。
　請求人は、審判請求書において、疎水性と防水性を備えたシャーシーと障壁を有する吸収体部材による二重の漏洩防止機能を達成したことが、本願発明１の格別な技術的意義であるように主張しているが、上記のように防漏機能の向上は、吸収性物品の普遍的な課題である以上、複数の防漏手段を組み合わせて用いることも当業者が適宜なし得る設計的事項であり、その効果も当業者が予測しうる範囲を超えるものでもないので当該請求人の主張は採用しない。
　以上の通りであるから、本願発明１は、引用文献１及び２に記載された発明に基づいて当業者が容易に発明をすることができたものである。
　
４．むすび
　したがって、本願発明１は、特許法第２９条第２項の規定により特許を受けることができないものであるので、その他の請求項に係る発明についての検討を行うまでもなく、本願は原査定の理由により拒絶すべきものである。
　よって、結論のとおり審決する。